(57)【要約】【課題】再剥離再貼付粘着剤などの粘着剤層が存在していても積み重ねやすく、紙面を有効に使用することができ、携帯性の向上や低コスト化が図れる再剥離再貼付ラベルセットを提供する。【解決手段】再剥離再貼付ラベルセット１０は、第１の基材１１と、粘着剤層１２と、第２の基材１３と、折り返し用ミシン目１４などとを備え、第１の基材１１は、第１の広告欄１１ａが印刷されたものであり、その第１の広告欄１１ａを囲むようにハーフカットｈｃが切り込まれ、粘着剤層１２は、第１の基材１１の裏面に設けられ、再剥離再貼付可能な再剥離糊であり、第２の基材１３は、粘着剤層１２を保護し、その粘着剤層１２に剥離可能に貼り合わされ、第２及び第３の広告欄１３ａ、１３ｂが印刷されたものであり、折り返し用ミシン目１４は、使用時に、粘着剤層１２の一部を表出させるための折り線である。【選択図】図１
2006065233.tif 000002
【特許請求の範囲】
【請求項１】
第１の基材と、
前記第１の基材の裏面の少なくとも一部に設けられ、再剥離再貼付可能な粘着剤層と、
前記粘着剤層を保護し、前記粘着剤層に剥離可能に貼り合わされた第２の基材と、
前記第２の基材に設けられ、前記粘着剤層の少なくとも一部を表出させるための表出予定線と、
を備える再剥離再貼付ラベルセット。
【請求項２】
請求項１に記載の再剥離再貼付ラベルセットにおいて、
前記表出予定線は、折り線又はスリット線であること、
を特徴とする再剥離再貼付ラベルセット。
【請求項３】
請求項１又は請求項２に記載の再剥離再貼付ラベルセットにおいて、
前記第１及び／又は第２の基材は、少なくとも一部に印刷部を備えること、
を特徴とする再剥離再貼付ラベルセット。
【請求項４】
請求項１から請求項３までのいずれか１項に記載の再剥離再貼付ラベルセットにおいて、
前記第１の基材は、前記第２の基材の少なくとも一部を表出させながら開封する開封予定線を備えること、
を特徴とする再剥離再貼付ラベルセット。
【発明の詳細な説明】
【技術分野】
【０００１】
本発明は、再剥離や再貼付が可能な再剥離再貼付ラベルセットに関するものである。
【背景技術】
【０００２】
現在、この種の再剥離再貼付ラベルセットは、再剥離や再貼付が可能なラベルを複数枚積層したものであり、その一例として、裏面に再剥離再貼付粘着剤を設けた付箋が広く使われている（例えば、特許文献１）。
付箋は、様々な基材に対して、微粘着し、ほとんど糊残りなく剥がせるために広く利用されている。
この特性を活用して、再剥離再貼付ラベルセットは、宣伝広告用に使われる場合があるが、この場合でも、付箋と同様、５０〜１００枚単位で冊子体にしたものが使われている。
【０００３】
なぜ、冊子体なのかと言えば、これまでの付箋と同じ製造ラインで製造が可能であること、ゴミが発生しないこと、携帯しやすいこと、などが挙げられる。
この中で、ゴミについて言えば、裏面に剥離紙を設けた通常ラベル形態の場合には、貼るたびに剥離紙がゴミとして発生してしまうので、ゴミが発生しない冊子体は、有効である。
【０００４】
しかし、付箋と同じ製造ラインで製造する場合は、様々な点で課題がある。
例えば、冊子状に積み重ねる場合は、一般的に、多面付けした状態でシートを排出して積み重ねていくが、再剥離再貼付粘着剤が存在することによって、積み重ねる際にうまく積み重ねられない、といったことがある。
通常の紙は、積み重ねてから、振動を与えて突き揃えることが可能であるが、再剥離再貼付ラベルセットの用紙は、粘着剤が存在しているために、積み重ねた後には動かない。
【０００５】
各用紙は、ズレて積み重ねられると、次工程の断裁で絵柄がズレてしまい、宣伝広告に使えなくなるため、実際には様々な方法で対応することになる。
簡単な方法では、ズレて積み重ねられたものを手直しして、ズレをある範囲に収めてから断裁する方法である。
この方法は、もっとも確実な方法ではあるが、手作業であるために効率が悪く、また、サイズによるものの、一般には大判多面進行するため、前述の再剥離再貼付粘着剤の存在により、同様に貼り合わせ難い、という課題があり、これらは、コスト的な課題も生んでしまう。
【０００６】
また、前述のズレは、製品そのものにも大きな課題を生じさせている。すなわち、広告宣伝用なのに、紙面を有効に使えない、という点である。
ズレても、必要な絵柄や文字が紙面から切れないように、あらかじめ内側に寄せたデザインにせざるを得ない。
もちろん、検査を徹底し、歩留まりを悪化させても良いのであれば、紙面を最大限活用することは可能であるが、結局コスト問題に帰結してしまう。
【０００７】
さらに、紙面を有効に使えないことから、広告スペースを広くするためには、１片のサイズを大きくしていかなければならなかった。この場合、コストアップもさることながら、携帯性が劣るという点があり、また、封筒程度の小さなものに貼る場合には、貼りきれない状態になり、適していない可能性もあった。
【特許文献１】特開２００４−１５４９７２号公報
【発明の開示】
【発明が解決しようとする課題】
【０００８】
本発明の課題は、再剥離再貼付粘着剤などの粘着剤層が存在していても積み重ねやすく、紙面を有効に使用することができ、携帯性の向上や低コスト化が図れる再剥離再貼付ラベルセットを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、第１の基材（１１）と、前記第１の基材（１１）の裏面の少なくとも一部に設けられ、再剥離再貼付可能な粘着剤層（１２）と、前記粘着剤層（１２）を保護し、前記粘着剤層（１２）に剥離可能に貼り合わされた第２の基材（１３）と、前記第２の基材（１３）に設けられ、前記粘着剤層（１２）の少なくとも一部を表出させるための表出予定線（１４）と、を備える再剥離再貼付ラベルセットである。
請求項２の発明は、請求項１に記載の再剥離再貼付ラベルセットにおいて、前記表出予定線（１４）は、折り線又はスリット線であること、を特徴とする再剥離再貼付ラベルセットである。
請求項３の発明は、請求項１又は請求項２に記載の再剥離再貼付ラベルセットにおいて、前記第１及び／又は第２の基材（１１、１３）は、少なくとも一部に印刷部（１１ａ、１３ａ、１３ｂ）を備えること、を特徴とする再剥離再貼付ラベルセットである。
請求項４の発明は、請求項１から請求項３までのいずれか１項に記載の再剥離再貼付ラベルセットにおいて、前記第１の基材（１１）は、前記第２の基材（１３）の少なくとも一部を表出させながら開封する開封予定線（ｈｃ）を備えること、を特徴とする再剥離再貼付ラベルセットである。
【発明の効果】
【００１０】
本発明によれば、第１の基材と第２の基材とを、再剥離再貼付可能な粘着剤層によって貼り合わせたので、積み重ね時には、粘着剤層が表出せず、突き揃えが容易となり、各基材にズレがない。
また、各基材にズレがないので、断裁時に、必要な絵柄や文字を不用意に切ってしまうことがなく、紙面を有効に活用できる。
さらに、従来の冊子体のタイプよりも紙面を広く使えるようになり、しかも、剥離紙として廃棄していた部分も紙面として活用できる。
【発明を実施するための最良の形態】
【００１１】
本発明は、再剥離再貼付粘着剤などの粘着剤層が存在していても積み重ねやすく、紙面を有効に使用することができ、携帯性の向上や低コスト化が図れる再剥離再貼付ラベルセットを提供するという目的を、第１の基材と第２の基材とを再剥離再貼付可能な粘着剤層によって貼り合わせ、使用時に、第２の基材に設けられた折り返し用ミシン目によって粘着剤層を表出させることにより実現する。
【実施例】
【００１２】
以下、図面等を参照して、本発明の実施例について、さらに詳しく説明する。
図１は、本発明による再剥離再貼付ラベルセットの実施例を示す図である。
本実施例の再剥離再貼付ラベルセット１０は、図１（Ａ）に示すように、第１の基材１１と、粘着剤層１２と、第２の基材１３と、折り返し用ミシン目（表出予定線）１４などとを備える。
【００１３】
第１の基材１１は、本実施例では、「航空便  スーパーエキスプレス  九州←→関東  予約受付中」などの第１の広告欄（印刷部）１１ａが印刷されたものであり、その第１の広告欄１１ａを囲むように、ハーフカット（開封予定線）ｈｃが切り込まれている。
【００１４】
粘着剤層１２は、第１の基材１１の裏面に設けられ、再剥離再貼付可能な再剥離糊である。
【００１５】
第２の基材１３は、粘着剤層１２を保護し、その粘着剤層１２に剥離可能に貼り合わされたものであり、本実施例では、表面に、「受付時間  大幅延長！！  翌朝９時からお届け！！」などの第２の広告欄１３ａが印刷され、裏面に、「営業所名」などの第３の広告欄１３ｂが印刷されている。
【００１６】
折り返し用ミシン目１４は、第２の基材１３の上端部付近に設けられ、使用時に、粘着剤層１２の一部を表出させるための折り線であり、折り返し用ミシン目１４の上方の第２の基材１３には、剥離層１５が設けられている。
【００１７】
次に、本実施例による再剥離再貼付ラベルセット１０の使用方法を説明する。
まず、図１（Ｂ）に示すように、広告主は、折り返し用ミシン目１４を用いて、第２の基材１３の上端部を折り返し、粘着剤層１２を表出させて、被着体に貼り込む。
ついで、生活者は、ハーフカットｈｃを用いて、第２の基材１３の第２の広告欄１３ａを表出させながら開封し、内容を確認する。
【００１８】
このように、本実施例によれば、以下のような効果がある。
（１）第１の基材１１と第２の基材１３とを、粘着剤層１２によって貼り合わせたので、積み重ね時には、粘着剤層１２が表出せず、突き揃えが容易となり、各基材にズレがない。
（２）各基材にズレないので、断裁時に、第１、第２及び第３の広告欄１１ａ、１３ａ、１３ｂを不用意に切ってしまうことがなく、紙面を有効に活用できる。
【００１９】
（３）従来の冊子体のタイプよりも広告スペースを広く使えるようになり、剥離紙として廃棄していた部分も広告スペースとして活用でき、しかも、貼り込み時には、ゴミの発生がない。
（４）冊子状の形態ではなく、１枚ずつ取り出して携帯可能なので、無駄がない。
【００２０】
（５）第２の基材１３の折り返し部分を元に戻せば、ベタベタしないので、受取側での保管性に優れる。
（６）開封する楽しみが加わるので、受取側でのインパクトが強くなり、広告効果が向上する。
【００２１】
（変形例）
以上説明した実施例に限定されることなく、種々の変形や変更が可能であって、それらも本発明の均等の範囲内である。
例えば、第１の基材１１には、ハーフカットｈｃを入れずに、第１の基材１１ごと捲り上げる仕様でもよい。このようにすれば、第２の基材１３の紙面を最大限に利用した広告を掲載できる。
【００２２】
また、折り返し用ミシン目１４の代わりに、スリット線（切断線）を入れ、使用時には、折り返し部分を分離する形態にしてもよい。このようにすれば、貼り込み時に、折り返し部分がないので、貼り込みやすく、また、貼り込み後は、浮き上がりも防止できる。
【図面の簡単な説明】
【００２３】
【図１】本発明による再剥離再貼付ラベルセットの実施例を示す図である。
【符号の説明】
【００２４】
１０  再剥離再貼付ラベルセット
１１  第１の基材
１１ａ  第１の広告欄（印刷部）
１２  粘着剤層
１３  第２の基材
１３ａ  第２の広告欄（印刷部）
１３ｂ  第３の広告欄（印刷部）
１４  折り返し用ミシン目（表出予定線）
１５  剥離層
ｈｃ  ハーフカット（開封予定線）
【図１】
2006065233.tif 000003